(57)【要約】      （修正有）【課題】原紙から裁断されて形成された収納容器形成用紙を、人手により組み立てた場合であっても、容易かつ迅速に、所定の製作精度の収納容器を作製することができ、全体として製作コストを低減することができる食品収納容器の側壁部固定構造を提供する。【解決手段】互いに直交して配設されると共に第二の底面部折り目を介して延設された他側壁部との間の側壁部固定構造であって、一側壁部の両端部には、第一の幅方向折り目を介して延設された平面略台形状の延設部１７と、該延設部の先端部に第二の幅方向折り目を介して延設された係合片部１９とを有すると共に、上記他側壁部には、上記係合片部が係合するスリットが設けられ、上記係合片部は、一側壁部の幅方向外方へ突出する、緩やかなアールを有する円弧状に形成された鋭角状突出部を有し、上記他側壁部の対向縁部は、上記第一の底面部折り目の延長線よりも方形底面部内方へ傾斜する斜片部２８により形成されている。【選択図】図１
0003166239.tif 000002
【実用新案登録請求の範囲】
【請求項１】
収納容器の方形底面部の一側に第一の底面部折り目を介して延設された一側壁部と上記方形底面部の、上記一側壁部に隣接し、互いに直交して配設されると共に第二の底面部折り目を介して延設された他側壁部との間の側壁部固定構造であって、
一側壁部の両端部には、第一の幅方向折り目を介して延設された平面略台形状の延設部と、上記延設部の先端部に第二の幅方向折り目を介して延設された係合片部とを有すると共に、上記他側壁部には、上記係合片部が係合するスリットが設けられ、
上記係合片部は、一側壁部の幅方向外方へ突出する、緩やかなアールを有する円弧状に形成された鋭角状突出部を有し、
上記他側壁部の対向縁部は、上記第一の底面部折り目の延長線よりも方形底面部内方へ傾斜する斜片部により形成されていることを特徴とする食品収納容器の側壁部固定構造。
【請求項２】
上記平面台形状の延設部の他側壁部との対向縁部を形成する一方の斜片部と上記第一の幅方向折り目との間の角度は、他方の斜片部と第一の幅方向折り目との間の角度よりも小さいと共に、上記平面台形状の延設部の上記他側壁部との対向縁部を形成する一方の斜片部の基端部は、上記他側壁部の対向縁部の基端部と離間して配設されていることを特徴とする請求項１記載の食品収納容器の側壁部固定構造。
【請求項３】
上記平面台形状の延設部の他側壁部との対向縁部を形成する斜片部と上記第一の幅方向折り目との間の角度は７０度に形成され、上記延設部と他側壁部との間には、上記延設部の底辺部の長さ寸法の約半分の長さ寸法の空隙部が形成されていることを特徴とする請求項２記載の食品収納容器の側壁部固定構造。
【請求項４】
上記他側壁部の対向縁部と上記方形底面部の第二の底面部折り目との間の角度は、８５度に形成されていることを特徴とする請求項２記載の食品収納容器の側壁部固定構造。
【請求項５】
上記収納容器は、トレーとして形成されていると共に、上記食品は電子レンジで解凍して食する食品であることを特徴とする請求項１記載の食品収納容器の側壁部固定構造。
【考案の詳細な説明】
【技術分野】
【０００１】
本考案は、食品収納容器の側壁部固定構造の改良に関する。
【背景技術】
【０００２】
一般に、冷凍食品が収納される容器は、所定の剛性を有する紙製であって、食品本体の収納部と、上記収納部の空隙部を開閉可能に被覆する蓋部とを有し、所定の包装用紙に包装されて販売されている。
【０００３】
このような冷凍食品の収納容器は、製造機械により原紙から裁断され、裁断された収納容器形成用紙を自動組み立て機により組み立てて作製されていたが、昨今の経済事情から製造コストの削減の要請がある。
従って、製造機械により裁断された収納容器形成用紙を、労働賃金の低価な外国へ輸出し、人手による収納容器形成用紙の組み立て作業を行うことを検討することも必要となる。
【０００４】
しかしながら、このような場合において、従来の収納容器形成用紙は、機械による組み立て作業に合わせて形成されていたことから、収納容器形成用紙を構成する各片部の間隔寸法、配置が非常にタイトに形成されており、従来の機械で製造された収納容器形成用紙をそのまま用いて人手により組み立てることは困難である、という事情があった。
【考案の開示】
【考案が解決しようとする課題】
【０００５】
本考案はこのような要請に応えるものであって、その課題は、原紙から裁断されて形成された収納容器形成用紙を、人手により組み立てた場合であっても、容易かつ迅速に、所定の製作精度の収納容器を作製することができ、全体として製作コストを低減することができる食品収納容器の側壁部固定構造を提供することにある。
【課題を解決するための手段】
【０００６】
上記課題を解決するため、請求項１記載の考案にあっては、収納容器の方形底面部の一側壁部に第一の底面部折り目を介して延設された一側壁部と上記方形底面部の、上記一側に隣接し、互いに直交して配設されると共に第二の底面部折り目を介して延設された他側壁部との間の側壁部固定構造であって、一側壁部の両端部には、第一の幅方向折り目を介して延設された平面略台形状の延設部と、上記延設部の先端部に第二の幅方向折り目を介して延設された係合片部とを有すると共に、上記他側壁部には、上記係合片部が係合するスリットが設けられ、上記係合片部は、一側壁部の幅方向外方へ突出する、緩やかなアールを有する円弧状に形成された鋭角状突出部を有し、上記他側壁部の対向縁部は、上記第一の底面部折り目の延長線よりも方形底面部内方へ傾斜する斜片部により形成されていることを特徴とする。
【０００７】
従って、請求項１記載の考案にあっては、一側壁部と隣接する他側壁部とを係合固定するために人手を介して折り曲げた際に、他側壁部の対向縁部は一側壁部との間に所定間隔寸法の間隙を有することから、上記延設部を他側壁部上に重複して重ね合わせやすい。
【０００８】
また、上記係合片部はアールを有する円弧状に形成された鋭角状突出部を有することから、係合片部を上記スリットに係合させる際に、スリットに引っかかることなく円滑に挿入させることができる。
【０００９】
請求項２記載の考案にあっては、上記平面台形状の延設部の他の側壁部との対向縁部を形成する一方の斜片部と上記第一の幅方向折り目との間の角度は、他方の斜片部と第一の幅方向折り目との間の角度よりも小さいと共に、上記平面台形状の延設部の上記他側壁部との対向縁部を形成する一方の斜片部の基端部は、上記他側壁部の対向縁部の基端部と離間して配設されていることを特徴とする。
【００１０】
従って、請求項２記載の考案にあっては、一側壁部に延設された延設部と他側壁部との間には所定の幅寸法の間隙が形成されることから、一側壁部と他側壁部とを固定するために人手を介して折り曲げた際に、折り曲げやすい。
【００１１】
請求項３記載の考案にあっては、上記平面台形状の延設部の他側壁部との対向縁部を形成する斜片部と上記第一の幅方向折り目との間の角度は７０度に形成され、上記延設部と他側壁部との間には、上記延設部の底辺部の長さ寸法の約半分の長さ寸法の空隙部が形成されていることを特徴とする。
【００１２】
従って、請求項３記載の考案にあっては、一側壁部に延設された延設部と他側壁部との間には所定の幅寸法の間隙が形成されることから、一側壁部と他側壁部とを固定するために人手を介して折り曲げた際に折り曲げやすい。
【００１３】
請求項４記載の考案にあっては、上記他側壁部の対向縁部と上記方形底面部の第二の底面部折り目との間の角度は、８５度に形成されていることを特徴とする。
【００１４】
請求項５記載の考案にあっては、上記収納容器は、トレーとして形成されていると共に、上記食品は電子レンジで解凍して食する食品であることを特徴とする。
【考案の効果】
【００１５】
請求項１記載の考案にあっては、一側壁部と隣接する他側壁部とを係合固定するために折り曲げた際に、他側壁部の対向縁部は一側壁部との間に所定間隔寸法の間隙を有することから、上記延設部を他側壁部上に重複して重ね合わせやすいと共に、上記係合片部はアールを有する円弧状に形成された鋭角状突出部を有することから、係合片部を上記スリットに係合させる際に、スリットに引っかかることなく挿入させることができるように構成されていることから、原紙から裁断されて形成された収納容器形成用紙を、人手により組み立てた場合であっても、容易かつ迅速に、所定の製作精度の食品収納容器を作製することができ、その結果、全体として製作コストを低減することができる。
【００１６】
請求項２、３及び４記載の考案にあっては、一側壁部に延設された延設部と他側壁部との間には所定の幅寸法の間隙が形成されることから、一側壁部と他側壁部とを固定するために折り曲げた際に折り曲げやすい。
また、係合片部をスリットに係合させて組み立てた場合、延設部は方形底面部の厚さ寸法を吸収した状態で他側壁面部の外方に配置されることから、無理なく係合片部により固定することができる。
その結果、請求項１記載の効果に加えて、人手により組み立てた場合であっても、一側壁部と他側壁部とをより折り曲げやすく、容易かつ迅速に、所定の製作精度を以て食品収納容器を作製することができる。
【００１７】
請求項５記載の考案にあっては、上記収納容器は、トレーとして形成され、電子レンジで解凍して食する食品を収納できる食品収納容器の側壁部固定構造を提供することができる。
【図面の簡単な説明】
【００１８】
【図１】本考案に係る食品収納容器の側壁部固定構造を備えた食品収納容器の一実施の形態に係る展開図である。
【図２】本考案に係る食品収納容器の側壁部固定構造の一実施の形態であって、他側壁部の外方に一側壁部を折り立て、延設部を配置し、係合片部をスリット内へ挿入する状態を示す部分斜視図である。
【図３】本考案に係る食品収納容器の側壁部固定構造の一実施の形態であって、組み立てた食品収納容器の他側壁部を内方から見た状態を示す説明図である。
【考案を実施するための最良の形態】
【００１９】
以下、添付図面に示す実施の形態に基づき、本考案を、上記食品収納容器がトレーとして形成されていると共に、収納される食品は電子レンジで解凍して食する食品である場合を例に詳細に説明する。
【００２０】
図１に示すように、本実施の形態に係る食品収納容器１０にあっては、長方形底面部１１の長さ方向一側に第一の底面部折り目１２を介して延設された一側壁部１３と、上記方形底面部１１の上記一側壁部１３に隣接し、互いに直交して配設されると共に幅方向に沿う第二の底面部折り目１４を介して延設された他側壁部１５とを備えている。
【００２１】
上記一側壁部１３の長さ方向両端部には、第一の幅方向折り目１６を介して延設された平面略台形状の延設部１７と、上記延設部１７の先端部に第二の幅方向折り目１８を介して延設された係合片部１９とを有している。
【００２２】
上記延設部１７にあっては、他側壁部１５との対向縁部を形成する一方の斜片部２３と上記第一の幅方向折り目１６との間の角度αは、他方の斜片部２４と第一の幅方向折り目１６との間の角度βよりも小さく形成されている。
【００２３】
上記延設部１７の他側壁部１５との対向縁部を形成する斜片部２３と上記第一の幅方向折り目１６との間の角度αは７０度に形成され、上記延設部１７と他側壁部１５との間には、上記延設部１７の底辺部を形成する第一の幅方向折り目１６の長さ寸法の約半分の長さ寸法の空隙部２２が形成されている。
【００２４】
また、上記延設部１７の上記他側壁部１５との対向縁部を形成する一方の斜片部２３の基端部２５は、上記他側壁部１５の対向縁部２６の基端部２７と離間して配設されている。
【００２５】
即ち、本実施の形態にあっては、上記斜片部２３の基端部２５は、第一の底面部折り目１２よりも長方形底面部１１の幅方向外方に配置されている。
【００２６】
上記係合片部１９は、一側壁部１３の幅方向外方へ突出すると共に、緩やかなアールを有する円弧状に形成された鋭角状突出部２１を有している。
【００２７】
上記係合片部１９は、上記台形状に形成された延設部１７の上記一方の斜片部２３と連続する斜片部２８を有し、全体略台形状に形成されている。
【００２８】
上記他側壁部１５の長さ方向端部には、上記係合片部１９が係合するスリット２０が設けられている。上記スリット２０は、他側壁部１５の幅方向に沿って折曲して鉤状に形成され、組み立て時には、図２に示すように、一側壁部１３と他側壁部１５とが、一側壁部１３が他側壁部１５の外方で重ねあわされた場合には、一側壁部１３の係合片部１９が外方から上記スリット２０内に挿入されて係止されるように構成されている。
【００２９】
上記他側壁部１５の対向縁部２６は、上記第一の底面部折り目１２の延長線Ａよりも長方形底面部１１内方へ傾斜する斜片部により形成されている。本実施の形態にあっては、上記他側壁部１５の対向縁部２６と上記方形底面部１１の第二の底面部折り目１４との間の角度θは８５度に形成されている。
【００３０】
以下、本考案の作用について説明する。
本考案に係る食品収納容器の側壁部固定構造を使用して、トレーとして形成された食品収納容器１０を組み立てる場合には、一側壁部１３及び他側壁部１５を、夫々、第一の底面部折り目１２及び第二の底面部折り目１４を介して上方へ折り立てる。同時に、延設部１７を第一の幅方向折り目１６を介して内方へ折り、上記他側壁部１５の外方面部に当接させる。
【００３１】
この場合、上記のように、上記延設部１７と他側壁部１５との間には、上記延設部１７の底辺部を形成する第一の幅方向折り目１６の長さ寸法の約半分の長さ寸法の空隙部２２が形成されていることから、図１及び図２に示すように、一側壁部１３を折り立てた場合であっても、既に折り立てている他側壁部１５に干渉することなく配置することができる。
【００３２】
また、上記のように、上記延設部１７の上記他側壁部１５との対向縁部を形成する一方の斜片部２３の基端部２５は、上記他側壁部１５の対向縁部２６の基端部２７と離間して配設されていることから、他側壁部１５は折り立っている状態で、一側壁部１３を折り立てた場合でも、他側壁部１５の厚さ寸法を吸収することができ、延設部１７を容易に他側壁部１５の背面側に配置させることができる。
【００３３】
その後、係合片部１９をスリット２０内へ挿入する。この場合、図２に示すように、第二の幅方向折り目１８において折り曲げることができるため、人手を介した作業においても、容易に係合片部１９をスリット２０内に挿入することができる。また、図３に示すように、上記のように、先端部には緩やかなアールを有する円弧状に形成された鋭角突出部２１を有することから、係合片部１９はスリット２０内へ挿入されやすい。
【００３４】
また、上記延設部１７の上記他側壁部１５との対向縁部を形成する一方の斜片部２３の基端部２５は、上記他側壁部１５の対向縁部２６の基端部２７と離間して配設されていることから、図３に示すように、上記係合片部１９がスリット２２に係合した状態では、延設部１７は、長方形底面部１１の厚さ寸法に干渉することなく、長方形底面部１１を回避した形で無理なく他側壁部１５の外側面部に配置されると共に、係合片部１９も無理なくスリット２０に係合した状態となっている。
【００３５】
この状態で組み立てられた食品収納容器１０長方形状底面部１１上に適宜の冷凍食品を収納し、包装用紙により包装した状態で商品とすることができる。
従って、本実施の形態に係る食品収納容器１０の側壁部固定構造にあっては、人手を介して組み立てた場合であっても、容易、かつ迅速に、所定の組立精度を有する冷凍食品の食品収納容器を作製することができる。
【００３６】
なお、上記実施の形態にあっては、延設部１７の、他側壁部１５を構成する一方の斜片部２３と第一の幅方向折り目１６との間の角度αが７０度であると共に、他側壁部１５の対向縁部２６と第二の底面部折り目１４との間の角度θが８５度である場合を例に説明したが、上記実施の形態に限定されない。
【符号の説明】
【００３７】
１０  食品収納容器
１１  長方形底面部
１２  第一の底面部折り目
１３  一側壁部
１４  第二の底面部折り目
１５  他側壁部
１６  第一の幅方向折り目
１７  延設部
１８  第二の幅方向折り目
１９  係合片部
２０  スリット
２１  鋭角状突出部
２２  空隙部
２３  一方の斜片部
２４  他方の斜片部
２５  基端部
２６  対向縁部
２７  基端部
２８  斜片部
α    延設部の一方の斜片部と第一の幅方向折り目部との間の角度
β    延設部の他方の斜片部と第一の幅方向折り目部との間の角度
θ    他側壁部の対向縁部と第二の底面部折り目との間の角度
【図１】
0003166239.tif 000003
【図２】
0003166239.tif 000004
【図３】
0003166239.tif 000005